(57)【要約】【課題】音質を損なうことなく大きな音量の音声をスピーカに出力させる音声出力システムを提供する。【解決手段】スピーカ制御部１が、スピーカ４の周波数特性に応じたデジタル信号を予め記憶し、記憶しているデジタル信号を出力する。Ｄ−Ａコンバータ２が、スピーカ制御部１出力したデジタル信号をアナログ信号に変換してアンプ３に出力する。アンプ３が、Ｄ−Ａコンバータ２が出力したアナログ信号を所定の信号増幅率で増幅し、スピーカ４に出力する。スピーカ４が音声を出力する。【選択図】図１
2008067004.tif 000002
【特許請求の範囲】
【請求項１】
音声を出力するスピーカを備えた音声出力システムにおいて、
スピーカの周波数特性に応じたデジタル信号であって、スピーカに所定の電圧が印加された場合に、予め決められた値以上の音圧で出力される音声のアナログ信号が符号化されたデジタル信号を記憶する記憶手段と、
前記記憶手段に記憶されているデジタル信号をアナログ信号に変換して出力するＤ−Ａ変換手段と、
前記Ｄ−Ａ変換手段が出力した前記アナログ信号を所定の信号増幅率で増幅し、前記スピーカに出力する増幅手段とを備え、
前記記憶手段は、スピーカに所定の電圧を印加して音圧の周波数特性を測定した場合に、音圧が最大値になる周波数よりも低い周波数であって、音圧の最大値との差が所定値になる周波数未満の周波数成分が除去されて符号化されたデジタル信号を記憶する
ことを特徴とする音声出力システム。
【請求項２】
記憶手段は、所定値としての２５ｄＢになる周波数未満の周波数成分が除去されて符号化されたデジタル信号を記憶する
請求項１記載の音声出力システム。
【請求項３】
記憶手段は、所定の周波数を超える周波数成分が除去されて符号化されたデジタル信号を記憶する
請求項１または請求項２記載の音声出力システム。
【請求項４】
増幅手段は、スピーカ制御手段が記憶しているデジタル信号をＤ−Ａ変換手段が変換したアナログ信号を増幅した場合に出力するアナログ信号の電力の値がスピーカの定格入力電力の値以下になる信号増幅率であって、音圧の最大値との差が所定値になる周波数未満の周波数成分が除去されていないアナログ信号を増幅した場合に出力するアナログ信号の電力の値がスピーカの定格入力電力の値を超える信号増幅率で、前記Ｄ−Ａ変換手段が出力したアナログ信号を増幅する
請求項３記載の音声出力システム。
【請求項５】
入力された音声をアナログ信号に変換して出力するマイクロフォンと、
前記マイクロフォンが出力したアナログ信号が増幅されて符号化されて入力されたデジタル信号から、スピーカに所定の電圧を印加して音圧の周波数特性を測定した場合に音圧が最大値になる周波数よりも低い周波数であって音圧の最大値との差が所定値になる周波数未満の周波数成分のデータを除去して記憶手段に記憶させる音声処理手段とを備えた
請求項１から請求項４のうちのいずれか１項に記載の音声出力システム。
【請求項６】
音声処理手段は、
除去する周波数成分の領域を示す情報を予め記憶し、
入力されたデジタル信号を周波数解析して、前記情報が示す信号に対応するデータを除去する
請求項５記載の音声出力システム。
【請求項７】
音声を出力するスピーカにアナログ信号を出力する音声出力方法において、
スピーカの周波数特性に応じたデジタル信号であって、スピーカに所定の電圧が印加された場合に、予め決められた値以上の音圧で出力される音声のアナログ信号が符号化されたデジタル信号を記憶する記憶ステップと、
記憶されているデジタル信号をアナログ信号に変換して出力するＤ−Ａ変換ステップと、
出力された前記アナログ信号を所定の信号増幅率で増幅し、前記スピーカに出力する増幅ステップとを含み、
前記記憶ステップで、スピーカに所定の電圧を印加して音圧の周波数特性を測定した場合に、音圧が最大値になる周波数よりも低い周波数であって、音圧の最大値との差が所定値になる周波数未満の周波数成分が除去されて符号化されたデジタル信号を記憶する
ことを特徴とする音声出力方法。
【発明の詳細な説明】
【技術分野】
【０００１】
本発明は、音質を損なうことなく大きな音量の音声をスピーカに出力させることができる音声出力システムおよび音声出力方法に関する。
【背景技術】
【０００２】
携帯電話機や、携帯情報端末、ＥＴＣ（Ｅｌｅｃｔｒｏｎｉｃ  Ｔｏｌｌ  Ｃｏｌｌｅｃｔｉｏｎ  Ｓｙｓｔｅｍ）車載端末等の機器を小型化したり薄型化したりするために、小型化されたスピーカを選択して実装することが好ましい。しかし、例えば、自動車に搭載される機器は使用環境が厳しいので、スピーカの選択肢は少ない。
【０００３】
また、機器の商品性を向上させるために、機器は、高音質で大音量の音声を出力できることが好ましい。しかし、一般に、小型化されたスピーカの定格入力電力は小さいので、大音量の音声を出力することは困難である。
【０００４】
なお、特許文献１には、マイクロコンピュータの制御に従って、スピーカの周波数特性を測定し、測定結果にもとづいてオーディオ信号から低周波成分を除去するデジタルフィルタを備えた音響機器が記載されている。
【０００５】
特許文献２には、コンピュータの制御に従って、オーディオ信号に、使用されるスピーカの再生能力に応じたイコライジングパターンにもとづいてフィルタ処理を施すデジタルフィルタを備えた車載用オーディオ装置が記載されている。
【０００６】
【特許文献１】特開２００１−３５９１８６号公報（段落００１６〜００４５、図１）
【特許文献２】特開平３−２７４８９３号公報（第２頁〜第３頁、図１）
【発明の開示】
【発明が解決しようとする課題】
【０００７】
しかし、特許文献１に記載されている機器は、接続されているスピーカの周波数特性を測定するための発信器等を搭載しているので、構成が複雑であり、小型化や低価格化が困難である。また、特許文献２に記載されている装置は、イコライジングパターンを記憶するための十分な容量の記憶手段を搭載しているので、コストがかかるという問題がある。
【０００８】
そこで、本発明は、簡易な構成で、音質を損なうことなく大きな音量の音声をスピーカに出力させる音声出力システムおよび音声出力方法を提供することを目的とする。
【課題を解決するための手段】
【０００９】
本発明による音声出力システムは、音声を出力するスピーカを備えた音声出力システムであって、スピーカの周波数特性に応じたデジタル信号であって、スピーカに所定の電圧が印加された場合に、予め決められた値以上の音圧で出力される音声のアナログ信号が符号化されたデジタル信号を記憶する記憶手段と、記憶手段に記憶されているデジタル信号をアナログ信号に変換して出力するＤ−Ａ変換手段と、Ｄ−Ａ変換手段が出力したアナログ信号を所定の信号増幅率で増幅し、スピーカに出力する増幅手段とを備え、記憶手段は、スピーカに所定の電圧を印加して音圧の周波数特性を測定した場合に、音圧が最大値になる周波数よりも低い周波数であって、音圧の最大値との差が所定値になる周波数未満の周波数成分が除去されて符号化されたデジタル信号を記憶することを特徴とする。
【００１０】
記憶手段は、所定値としての２５ｄＢになる周波数未満の周波数成分が除去されて符号化されたデジタル信号を記憶してもよい。
【００１１】
記憶手段は、所定の周波数を超える周波数成分が除去されて符号化されたデジタル信号を記憶してもよい。
【００１２】
増幅手段は、スピーカ制御手段が記憶しているデジタル信号をＤ−Ａ変換手段が変換したアナログ信号を増幅した場合に出力するアナログ信号の電力の値がスピーカの定格入力電力の値以下になる信号増幅率であって、音圧の最大値との差が所定値になる周波数未満の周波数成分が除去されていないアナログ信号を増幅した場合に出力するアナログ信号の電力の値がスピーカの定格入力電力の値を超える信号増幅率で、Ｄ−Ａ変換手段が出力したアナログ信号を増幅するように構成されていることが好ましい。
【００１３】
入力された音声をアナログ信号に変換して出力するマイクロフォンと、マイクロフォンが出力したアナログ信号が増幅されて符号化されて入力されたデジタル信号から、スピーカに所定の電圧を印加して音圧の周波数特性を測定した場合に音圧が最大値になる周波数よりも低い周波数であって音圧の最大値との差が所定値になる周波数未満の周波数成分のデータを除去して記憶手段に記憶させる音声処理手段とを備えていてもよい。
【００１４】
音声処理手段は、除去する周波数成分の領域を示す情報を予め記憶し、入力されたデジタル信号を周波数解析して、情報が示す信号に対応するデータを除去するように構成されていてもよい。
【００１５】
本発明による音声出力方法は、音声を出力するスピーカにアナログ信号を出力する音声出力方法であって、スピーカの周波数特性に応じたデジタル信号であって、スピーカに所定の電圧が印加された場合に、予め決められた値以上の音圧で出力される音声のアナログ信号が符号化されたデジタル信号を記憶する記憶ステップと、記憶されているデジタル信号をアナログ信号に変換して出力するＤ−Ａ変換ステップと、出力されたアナログ信号を所定の信号増幅率で増幅し、スピーカに出力する増幅ステップとを含み、記憶ステップで、スピーカに所定の電圧を印加して音圧の周波数特性を測定した場合に、音圧が最大値になる周波数よりも低い周波数であって、音圧の最大値との差が所定値になる周波数未満の周波数成分が除去されて符号化されたデジタル信号を記憶することを特徴とする。
【発明の効果】
【００１６】
本発明による音声出力システムは、スピーカの周波数特性に応じたデジタル信号を出力するので、簡易な構成で、音質を損なうことなく大きな音量の音声をスピーカに出力させることができる。
【００１７】
増幅手段が、デジタル信号を変換したアナログ信号を増幅した場合に出力するアナログ信号の電力の値がスピーカの定格入力電力の値以下になる信号増幅率であって、所定の信号が除去されていないアナログ信号を増幅した場合に出力するアナログ信号の電力の値がスピーカの定格入力電力の値を超える信号増幅率でアナログ信号を増幅するように構成されている場合には、大きな音量の音声をスピーカに出力させることができる。
【００１８】
音声処理手段が、スピーカの周波数特性に応じて所定のデータを除去したデジタル信号を生成するように構成されている場合には、簡易な構成で、音質を損なうことなく大きな音量の音声をスピーカに出力させることができる。
【００１９】
増幅手段が、所定のデータが除去されたデジタル信号を変換したアナログ信号を増幅した場合に出力するアナログ信号の電力の値がスピーカの定格入力電力の値以下になる信号増幅率であって、当該データが除去されていないデジタル信号を変換したアナログ信号を増幅した場合に出力するアナログ信号の電力の値がスピーカの定格入力電力の値を超える信号増幅率でアナログ信号を増幅するように構成されている場合には、大きな音量の音声をスピーカに出力させることができる。
【発明を実施するための最良の形態】
【００２０】
実施の形態１．
本発明の第１の実施の形態について、図面を参照して説明する。図１は、本発明による音声出力システムの実施の形態の構成を示すブロック図である。
【００２１】
図１に示す音声出力システムは、予め格納されているデジタル信号をＤ−Ａコンバータ２に出力するスピーカ制御部１と、スピーカ制御部１が出力したデジタル信号をアナログ信号に変換するＤ−Ａコンバータ（Ｄ−Ａ変換手段）２と、Ｄ−Ａコンバータ２によってデジタル信号から変換されたアナログ信号を増幅し、スピーカ４に入力する増幅手段（以下、アンプという。）３とを含む。
【００２２】
図２は、スピーカ４の周波数特性の一例を示す説明図である。図２に示す例では、スピーカ４は、２００Ｈｚ付近から音圧が上昇する周波数特性を有しており、各周波数で所定の電圧が印加された場合に出力する音声の音圧の最大値が９５ｄＢであることを示している。
【００２３】
スピーカ制御部１は、記憶部を有し、記憶部に、スピーカ４の周波数特性に応じて、例えば、所定の周波数未満の周波数帯域の成分が除去され、信号強度の実効値が低下したアナログ信号（音声信号）が符号化されたデジタル信号が予め格納されている。
【００２４】
スピーカ制御部１における記憶部に格納されているデジタル信号は、具体的には、例えば、スピーカ４に所定の電圧を印加して音圧の周波数特性を測定した場合に、出力される音声の音圧が最大になる周波数よりも低い周波数の信号であって、例えば音圧の最大値−２５ｄＢ未満の値（すなわち、最大値との差が２５ｄＢを超える値）になる周波数の信号が除去されて、信号強度の実効値が低下するように加工されたアナログ信号が符号化されたデジタル信号である。
【００２５】
図２に示す例では、スピーカ４に各周波数で所定の電圧を印加した場合に、出力される音声の音圧の最大値は９５ｄＢである。９５−２５＝７０なので、本例では、スピーカ制御部１は、スピーカ４に所定の電圧が印加された場合に出力される音声の音圧が７０ｄＢ未満の周波数の信号が除去されて、信号強度の実効値が低下するように加工されたアナログ信号が符号化されたデジタル信号が予め格納されている。
【００２６】
図２に示す例では、スピーカ４に所定の電圧が印加された場合に出力される音声の音圧が７０ｄＢ未満の信号は、周波数が３００Ｈｚ未満の信号である。よって、スピーカ制御部１は、３００Ｈｚ未満の周波数の信号が除去されて、信号強度の実効値が低下するように加工されたアナログ信号が符号化されたデジタル信号が予め格納されている。すなわち、スピーカ制御部１は、スピーカ４に所定の電圧が印加された場合に７０ｄＢ以上の音圧の音声が出力される３００Ｈｚ以上の信号を成分とし、信号強度の実効値が低下したアナログ信号が符号化されたデジタル信号が予め格納されている。
【００２７】
図３は、スピーカ制御部１に格納されているデジタル信号を変換したアナログ信号の周波数特性の一例を示す説明図である。スピーカ制御部１は、図３に示すように、３００Ｈｚ未満の周波数帯域の信号が除去されて、信号強度の実効値が低下するように加工され、符号化されたデジタル信号が格納されている。
【００２８】
一般に、小型スピーカは、低周波領域の再生能力が低く、例えば、図２に示すような周波数特性を有している。そのため、小型スピーカに出力するアナログ信号から低周波領域（本例では、３００Ｈｚ未満の領域）の成分を除去しても、小型スピーカから出力される音質への影響は少ない。また、一般に、小型スピーカの定格入力電力は小さいが、アナログ信号から低周波領域の成分を除去すると、アナログ信号の信号強度の実効値が低下する。実効値が低下すると、スピーカ４の定格入力電力の値を超えない範囲でアンプ３の信号増幅率を高くすることができる。さらに、記憶手段に記憶されているデジタル信号は、所定の周波数（例えば、２０ｋＨｚ）を超える周波数成分が除去されて符号化されたデジタル信号である。
【００２９】
アンプ３には、スピーカ４に入力する電力（実効値）が、スピーカ４の定格入力電力の値以下で最大になるように、予め信号増幅率が設定されている。そして、アンプ３は、設定されている信号増幅率で、入力されたアナログ信号を増幅する。なお、アンプ３に設定されている信号増幅率は、スピーカ制御部１に格納されているデジタル信号を変換したアナログ信号の音声に相当し、信号強度の実効値を低下させるように加工されていないアナログ信号を増幅した場合に、スピーカ４に入力する電力がスピーカ４の定格入力電力の値を超える信号増幅率である。
【００３０】
次に、本発明の音声出力システムの実施の形態の動作について、図面を参照して説明する。図４は、音声出力システムの実施の形態の動作を説明するフローチャートである。
【００３１】
スピーカ制御部１は、音声やメロディなどの信号であって、図３に例示した周波数特性を有するアナログ信号が符号化されたデジタル信号が予め格納されている。スピーカ制御部１は、格納されているデジタル信号をＤ−Ａコンバータ２に出力する（ステップＳ１０１）
【００３２】
Ｄ−Ａコンバータ２は、スピーカ制御部１が出力したデジタル信号をアナログ信号に変換し（ステップＳ１０２）、変換結果のアナログ信号をアンプ３に出力する（ステップＳ１０３）。なお、Ｄ−Ａコンバータ２がアンプ３に出力するアナログ信号は、例えば、図３に示す周波数特性を有している。
【００３３】
アンプ３は、Ｄ−Ａコンバータ２が出力したアナログ信号を、予め設定されている信号増幅率で増幅し（ステップ１０４）、スピーカ４に入力する。
【００３４】
スピーカ４は、アンプ３によって増幅されたアナログ信号を音声に変換して出力する（ステップＳ１０５）。
【００３５】
本実施の形態では、スピーカ制御部１における記憶部に、信号強度の実効値を低下させるようにスピーカ４の周波数特性に応じて加工されたアナログ信号が符号化されたデジタル信号が格納され、アンプ３に、スピーカ４の定格入力電力の値を超えない範囲で最大になるように予め信号増幅率が設定されている。そして、加工されていないアナログ信号の信号強度の実効値に比べて、加工されたアナログ信号の信号強度の実効値は小さく、アンプ３の信号増幅率を高く設定することができるので、スピーカ４が出力する音声の音量を大きくすることができる。なお、記憶部は、スピーカ制御部１とは独立して設けられていてもよい。
【００３６】
本実施の形態を携帯電話機に適用した場合には、携帯電話機に搭載されているスピーカの周波数特性に応じて加工された音声（例えば、予め記憶している着信音等）を当該スピーカから出力させるので、出力される着信音等の音量を大きくすることができる。
【００３７】
本実施の形態を携帯情報端末に適用した場合には、携帯情報端末に搭載されているスピーカの周波数特性に応じて加工された音声（例えば、予め記憶している電子メールの着信を報知する音声等）を当該スピーカから出力させるので、出力される電子メールの着信を報知する音声等の音量を大きくすることができる。
【００３８】
本実施の形態をＥＴＣ車載端末に適用した場合には、ＥＴＣ車載端末に搭載されているスピーカの周波数特性に応じて加工された音声（例えば、予め記憶しているユーザをサポートする案内用の音声等）を当該スピーカから出力させるので、出力される案内用の音声等の音量を大きくすることができる
【００３９】
実施の形態２．
本発明の第２の実施の形態について、図面を参照して説明する。図５は、音声出力システムの第２の実施の形態の構成を示すブロック図である。
【００４０】
図５に示す音声出力システムは、マイクロフォン１０が出力してアンプ１１が増幅したアナログ信号をＡ−Ｄコンバータ１２が符号化したデジタル信号に処理を施し、スピーカ制御部１４を介してＤ−Ａコンバータ１５にデジタル信号を出力する音声処理部（音声処理手段）１３、スピーカ制御部１４を介して音声処理部１３から出力されたデジタル信号をアナログ信号に変換するＤ−Ａコンバータ（Ｄ−Ａ変換手段）１５、およびＤ−Ａコンバータ１５によってデジタル信号から変換されたアナログ信号を増幅し、スピーカ１７に入力するアンプ（増幅手段）１６とを含む。
【００４１】
アンプ１１は、マイクロフォン１０が出力したアナログ信号を増幅してＡ−Ｄコンバータ１２に入力する。Ａ−Ｄコンバータ１２は、入力されたアナログ信号をデジタル信号に変換して出力する。
【００４２】
音声処理部１３は、スピーカ１７の音声出力能力が低い周波数帯域を示すテーブルを予め記憶している。具体的には、例えば、スピーカ１７が、図２に例示した周波数特性を有している場合に、音声処理部１３は、３００Ｈｚ未満の周波数帯域を示すテーブルを予め記憶している。
【００４３】
音声処理部１３は、Ａ−Ｄコンバータ１２が出力したデジタル信号に高速フーリエ変換を施して、時系列の信号を周波数域の信号に変換し、マイクロフォン１０が出力したアナログ信号の周波数解析を行う。そして、Ａ−Ｄコンバータ１２が出力したデジタル信号からテーブルに記憶されている周波数帯域のアナログ信号に対応するデジタル信号（データ）を除去（加工）したデジタル信号を生成して記憶し、スピーカ制御部１４に出力する。したがって、音声処理部１３が出力したデジタル信号を変換したアナログ信号は、Ａ−Ｄコンバータ１２に入力されたアナログ信号よりも信号強度の実効値が低下している。
【００４４】
スピーカ制御部１４は、音声処理部１３が出力したデジタル信号をＤ−Ａコンバータ１５に入力する。Ｄ−Ａコンバータ１５は、入力されたデジタル信号をアナログ信号に変換してアンプ１６に出力する。
【００４５】
アンプ１６には、スピーカ１７に入力するアナログ信号の電力（実効値）が、スピーカ１７の定格入力電力の値を超えない範囲で最大になるように、予め信号増幅率が設定されている。そして、アンプ１６は、設定されている信号増幅率で、入力されたアナログ信号を増幅する。なお、アンプ３に設定されている信号増幅率は、マイクロフォン１０が出力したアナログ信号を増幅した場合に、スピーカ４に入力する電力の値がスピーカ４の定格入力電力の値を超える信号増幅率である。
【００４６】
音声処理部１３は、例えば、コンピュータに、マイクロフォン１０に入力された音声にもとづいてデジタル信号を生成し、生成したデジタル信号からスピーカの周波数特性に応じて所定のデータを除去して、スピーカ１７に出力させるためのアナログ信号が符号化されたデジタル信号を生成するデータ除去処理を実行させることを特徴とする音声入出力プログラムを搭載したコンピュータによって実現される。
【００４７】
次に、音声出力システムの第２の実施の形態の動作について、図面を参照して説明する。図６は、音声出力システムの第２の実施の形態の動作を説明するフローチャートである。
【００４８】
マイクロフォン１０は、入力された音声をアナログ信号に変換してアンプ１１に出力する（ステップＳ２０１，Ｓ２０２）。アンプ１１は、マイクロフォン１０が出力したアナログ信号を予め決められた信号増幅率で増幅して（ステップＳ２０３）、Ａ−Ｄコンバータ１２に入力する。
【００４９】
Ａ−Ｄコンバータ１２は、入力されたアナログ信号をデジタル信号に変換して（ステップＳ２０４）、音声処理部１３に出力する。
【００５０】
音声処理部１３は、Ａ−Ｄコンバータ１２が出力したデジタル信号に高速フーリエ変換を施して、時系列の信号を周波数域の信号に変換し、マイクロフォン１０が出力したアナログ信号の周波数解析を行う（ステップＳ２０５）。そして、テーブルに記憶されている周波数帯域のアナログ信号に対応するデジタル信号（データ）を除去してアナログ信号の信号強度の実効値を低下させて（ステップＳ２０６）、スピーカ制御部１４に出力する（ステップＳ２０７）。
【００５１】
スピーカ制御部１４は、音声処理部１３が出力したデジタル信号をＤ−Ａコンバータ１５に入力する。Ｄ−Ａコンバータ１５は、入力されたデジタル信号をアナログ信号に変換して（ステップＳ２０８）、アンプ１６に出力する（ステップＳ２０９）。
【００５２】
アンプ１６は、設定されている信号増幅率で、入力されたアナログ信号を増幅する（ステップＳ２１０）。スピーカ１７は、アンプ１６によって増幅されたアナログ信号を音声に変換して出力する（ステップＳ２１１）。
【００５３】
本実施の形態では、音声処理部１３が、マイクロフォン１０に入力された音声にもとづくデジタル信号をスピーカ１７の周波数特性に応じて加工し、アナログ信号の信号強度の実効値を低下させるので、加工されていないアナログ信号を出力する場合に比べて、スピーカ１７の定格入力電力の値を超えない範囲でアンプ１６の信号増幅率を高く設定することができる。そのため、スピーカ１７が出力する音声の音量を大きくすることができる。
【００５４】
本実施の形態を携帯情報端末や携帯電話機に適用した場合には、音声メモ用にマイクロフォンに入力された音声に相当するデジタル信号を、スピーカの周波数特性に応じて加工して記憶し、記憶したデジタル信号にもとづく音声を当該スピーカに大きな音量で出力させることができる。
【産業上の利用可能性】
【００５５】
本発明は、携帯電話機や、携帯情報端末、ＥＴＣ車載端末等の小型スピーカが搭載された機器に適用することができる。
【図面の簡単な説明】
【００５６】
【図１】本発明による音声出力システムの第１の実施の形態の構成を示すブロック図である。
【図２】スピーカの周波数特性の一例を示す説明図である。
【図３】スピーカ制御部に格納されているデジタル信号をアナログ信号に変換したアナログ信号の周波数特性の一例を示す説明図である。
【図４】音声出力システムの第１の実施の形態の動作を説明するフローチャートである。
【図５】本発明による音声出力システムの第２の実施の形態の構成を示すブロック図である。
【図６】音声出力システムの第２の実施の形態の動作を説明するフローチャートである。
【符号の説明】
【００５７】
１、１４  スピーカ制御部
２、１５  Ｄ−Ａコンバータ
３、１１、１６  アンプ
４、１７  スピーカ
１０  マイクロフォン
１２  Ａ−Ｄコンバータ
１３  音声処理部
【図１】
2008067004.tif 000003
【図２】
2008067004.tif 000004
【図３】
2008067004.tif 000005
【図４】
2008067004.tif 000006
【図５】
2008067004.tif 000007
【図６】
2008067004.tif 000008